【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
方法であって、
タッチ感知ディスプレイを有する電子装置において、
前記ディスプレイ上にユーザインターフェーススクリーンを表示することであって、前記ユーザインターフェーススクリーンが、
時計文字盤と、
第１のアフォーダンスであって、前記第１のアフォーダンスが第１のアプリケーションを表し、前記第１のアフォーダンスが前記第１のアプリケーションから取得した第１の組の情報を備え、前記第１の組の情報が前記第１のアプリケーションからのデータに従って更新され、前記第１のアフォーダンスが前記時計文字盤に関連したコンプリケーションとして表示される、第１のアフォーダンスと、を含む、ことと、
第２のアフォーダンスを前記ユーザインターフェーススクリーンに表示することであって、前記第２のアフォーダンスが前記第１のアプリケーションを表し、前記第２のアフォーダンスが前記第１のアプリケーションから取得した第２の組の情報を備え、前記第２の組の情報が前記第１の組の情報と異なっており、前記第２の組の情報が前記第１のアプリケーションからのデータに従って更新され、前記第２のアフォーダンスが前記時計文字盤に関連したコンプリケーションとして表示される、ことと、
前記ユーザインターフェーススクリーンを表示した後、前記第１のアプリケーションからデータを受信することと、
前記第１のアフォーダンスによって表示される前記第１の組の情報を前記受信したデータにしたがって更新することであって、前記第１のアフォーダンスが前記第１の組の情報を更新する前後で前記ディスプレイ上の同じ位置に表示される、ことと、
前記第２のアフォーダンスによって表示される前記第２の組の情報を前記受信したデータにしたがって更新することであって、前記第２のアフォーダンスが前記第２の組の情報を更新する前後で前記ディスプレイ上の同じ位置に表示される、ことと、
前記表示された第１のアフォーダンスまたは前記表示された第２のアフォーダンスへの接触を検出することと、前記接触の検出に応じて、
前記第１のアプリケーションを起動することと、
を含む方法。
【請求項２】
第３のアフォーダンスを前記ユーザインターフェーススクリーン上に表示することを更に含み、前記第３のアフォーダンスが第２のアプリケーションを表し、前記第２のアプリケーションが前記第１のアプリケーションとは異なり、前記第３のアフォーダンスが前記第２のアプリケーションから取得した第３の組の情報を備え、前記第３の組の情報が前記第２のアプリケーションからのデータに従って更新され、前記第３のアフォーダンスが前記時計文字盤に関連したコンプリケーションとして表示される、請求項１に記載の方法。
【請求項３】
通知を受信することと、
前記通知が見落とされたか否かを判定することと、
前記通知が見落とされたという判定に従って、
前記ディスプレイ上に見落とされた通知アフォーダンスを表示することであって、前記見落とされた通知アフォーダンスが見落とされた通知を示す、ことと、
を更に含む、請求項１または２に記載の方法。
【請求項４】
前記表示された見落とされた通知アフォーダンスの態様が、前記電子装置によって受信された、複数の見落とされた通知を表す、請求項３に記載の方法。
【請求項５】
前記見落とされた通知のユーザ閲覧を表すデータを受信することと、前記データの受信に応じて、
前記見落とされた通知アフォーダンスの表示を除去することと、
を更に含む、請求項３又は４に記載の方法。
【請求項６】
前記第１のアフォーダンスは、ストップウォッチ進行アフォーダンスであり、
前記ストップウォッチ進行アフォーダンスが、現在ランしているストップウォッチアプリケーションを示し、前記ストップウォッチ進行アフォーダンスがデジタルストップウォッチの表現を含み、前記デジタルストップウォッチの表現が、前記現在ランしているストップウォッチアプリケーションによって生成されるストップウォッチ時刻を示すように継続的に更新され、
前記第１のアプリケーションを起動することは、前記ストップウォッチアプリケーションを起動することを含む、請求項１から５のいずれか一項に記載の方法。
【請求項７】
前記電子装置が位置センサを有し、
前記方法が、
前記タッチ感知ディスプレイ上に前記時計文字盤が表示されている間に、前記タッチ感知ディスプレイへの接触を検出することと、前記接触の検出に応じて、
指定されたホーム位置を表すデータにアクセスすることであって、前記指定されたホーム位置が関連するホームタイムゾーンを有する、ことと、
前記電子装置の現在のタイムゾーンを前記位置センサから取得することと、
前記現在のタイムゾーンが前記ホームタイムゾーンと異なるか否かを判定することと、
前記現在のタイムゾーンが前記ホームタイムゾーンと異なるという判定に応じて、前記表示された第３の時計文字盤を更新して、前記ホームタイムゾーンにおける前記現在の時刻を示すことと、
を更に含む、請求項１から６のいずれか一項に記載の方法。
【請求項８】
前記指定されたホーム位置がユーザによって指定されている、請求項７に記載の方法。
【請求項９】
前記指定されたホーム位置が、
前記位置における滞在時間の長さと、
前記位置における滞在時間帯と、
前記電子装置に記憶された前記位置に関連する複数の接触エントリと、
のうちの１つ以上を表すデータに基づき、前記システムによって指定された位置である、請求項８に記載の方法。
【請求項１０】
前記電子装置の移動を検出することと、
前記移動の検出に応じて、前記表示された時計文字盤を前記ディスプレイ上で動かすことであって、前記表示された時計文字盤が複数の画素を含み、前記動かすことが、前記複数の画素のサブセットの外観を変化させることを含む、ことと、
を更に含む、請求項１から９のいずれか一項に記載の方法。
【請求項１１】
開始／停止アフォーダンスを含むタキメータユーザインターフェースオブジェクトを表示することと、
ユーザ入力を第１の時点で検出することと、
前記ユーザ入力の検出に応じて、
仮想タキメータを開始させることと、
第２のユーザ入力を第２の時点で検出することであって、前記第２の時点が前記第１の時点からタキメータ時間間隔だけ離れている、ことと、
前記第２のユーザ入力の検出に応じて、
前記仮想タキメータを停止させることと、
前記タキメータ時間間隔によって分割された所定の長さの複数の時間集合に基づいて、時刻値を表示することと、
を更に含む、請求項１から１０のいずれか一項に記載の方法。
【請求項１２】
開始／停止アフォーダンスを含むテレメータユーザインターフェースオブジェクトを表示することと、
ユーザ入力を第１の時点で検出することと、
前記ユーザ入力の検出に応じて、
仮想テレメータを開始させることと、
第２のユーザ入力を第２の時点で検出することであって、前記第２の時点が前記第１の時点からテレメータ時間間隔だけ離れていることと、
前記第２の接触の検出に応じて、
前記仮想テレメータを停止させることと、
前記テレメータ時間間隔に基づいて、距離を表示することと、
を更に含む、請求項１から１１のいずれか一項に記載の方法。
【請求項１３】
リピートインターバルタイマユーザインターフェースを表示することと、
ユーザによって指定された時間間隔を表すデータを受信することと、
前記ユーザによって指定された時間間隔を表すデータの受信に応じて、ユーザアラートを供給することであって、前記ユーザアラートが、前記ユーザによって指定された時間間隔に基づいて複数回繰り返される、ことと、
を更に含む、請求項１から１２のいずれか一項に記載の方法。
【請求項１４】
前記ユーザアラートが、視覚アラート、音声アラート及び触覚アラートのうちの１つ以上を含む、請求項１３に記載の方法。
【請求項１５】
前記電子装置はひとつ以上の取り付け機構を備えるウェアラブル電子装置である請求項１から１４のいずれか一項に記載の方法。
【請求項１６】
前記第２のアフォーダンスが前記ユーザインターフェーススクリーンに表示されている間に、前記第２のアフォーダンスの選択に対応する第１のユーザ入力を検出することと、
前記第２のアフォーダンスの選択を検出した後に、第２のユーザ入力を受信することと、
前記第２のユーザ入力を受信したことに応じて、前記第１のアプリケーションから取得された第３の組の情報を含むように前記第２のアフォーダンスを更新することであって、前記第３の組の情報が前記第１の組の情報とも前記第２の組の情報とも異なる、ことと、をさらに含む請求項１から１５のいずれか一項に記載の方法。
【請求項１７】
ディスプレイを備える電子装置に、請求項１から１６のいずれか一項に記載の方法を行わせるための命令を備えるコンピュータプログラム。
【請求項１８】
電子装置であって、
ディスプレイと、
１つ以上のプロセッサと、
命令を含む１つ以上のコンピュータプログラムを記憶するメモリと、を備え、
前記１つ以上のプロセッサは前記１つ以上のコンピュータプログラムに含まれる前記命令を実行することにより、前記電子装置に、請求項１から１６のいずれか一項に記載の方法を行わせる電子装置。
【請求項１９】
ディスプレイと、
請求項１から１６のいずれか一項に記載の方法を行う手段と、を備える電子装置。